(57)【要約】      （修正有）【課題】粘度の低い栄養食品から、粘度の高い半固形化栄養剤を含む栄養食品等を、栄養食品等に固有の粘度に影響されることなく、袋状容器から栄養食品等を容易に、袋状容器に残留することが少なく、短時間で胃瘻を経由して胃瘻患者に注入可能な胃瘻造設患者用栄養剤補給注入補助装置を提供する。【解決手段】袋状容器３を台板１と１個の巻取軸２の間に設置し、巻取軸２に開けられた溝開口に袋状容器３の底部を差し込み、巻取軸２の電気駆動回転にともない台板１の上に置かれた袋状容器３が巻取軸２に巻き付き、巻取軸２に巻き取られることにより、袋状容器３の体積が減り、袋状容器３の内部には内圧が発生し、袋状容器３の内部にある栄養食品等のほぼ全量がチューブ４を経由して胃瘻から患者の胃に注入することが可能となる。【選択図】図１
0003194994.tif 000002
【実用新案登録請求の範囲】
【請求項１】
半固形栄養剤等を充填した可とう性のある袋状容器を巻き取る事によって半固形栄養剤等を押し出して、前記袋状容器に接続されたチューブから胃瘻を経由して半固形栄養剤等を患者へ補給のため注入する補助装置である。本考案の装置は、電動機等を用い適当な回転数で回る巻取軸に前記袋状容器（ラミネートフィルムで形成され、底部に接着されたラミネートフィルムの接着しろが残っている。）の底部を、前記巻取軸に形成された溝開口部に挿入し、回転方向に対して固定する。回転軸を回転させることにより前記袋状容器は、前記巻取軸と共に回転を始める。前記袋状容器は、台板の上に置かれた状態になっている為、軸の回転に伴う供回りは前記台板に阻止される。
結果、前記袋状容器はその底部より前記巻取軸に巻き取られていく。
巻き取られるに従い前記袋状容器は、体積を減少させ内圧は増加する。
これにより半固形栄養剤等は前記袋状容器の開口部に接続された前記チューブ経由で押し出されるよう構成された胃瘻造設患者用栄養剤補給注入補助装置。
【請求項２】
請求項目１に記載の装置において前記台板は、前記台板自体の塑性変形、または強靭なバネ材等を用い前記巻取軸に強く押し付けられ且つ、前記巻取軸に巻きつく前記袋状容器の巻き取られる部分の平坦化を行う。平坦化は前記袋状容器内の半固形栄養剤の分布の平坦化、及び前記袋状容器の変形等を整形し、巻き取りの機能向上を図る前記台板を備える胃瘻造設患者用栄養剤補給注入補助装置。
【請求項３】
請求項目１に記載の装置において前記巻取軸に前記袋状容器底部の接着しろ部を引掛け、前記巻取軸の回転方向に対し前記袋状容器を固定し、前記巻取軸の回転に伴い前記袋状容器を巻き取る事により前記袋状容器の体積を減らし、内圧を上げて内容物を押し出す構造を備える胃瘻造設患者用栄養剤補給注入補助装置。
【考案の詳細な説明】
【技術分野】
【０００１】  この考案は、袋状容器３に充填された半固形栄養剤等を容易に、短時間で袋状容器３の内部に残留がないようにほぼ全量を、チューブ４を経由して患者の胃瘻に注入することを可能とする胃瘻造設患者用栄養剤補給注入補助装置を提供する。
【背景技術】
【０００２】  従来、可撓性を有するとともに袋状をなし、エアーの供給を受けて膨らむエアーバッグと、前記エアーバッグに対向し、膨らんだ前記エアーバッグの圧力を受ける受け部材とを有し、半固形栄養剤を充填した袋状容器を前記バッグと前記受け部材との間に装着した状態で、前記エアーバッグを膨らますことによって、前記エアーバッグと前記受け部材との協働により、前記袋状容器を圧迫して、前記袋状容器内の前記半固形栄養剤を押し出すことを特徴とする押し出し装置がある。【０００３】  また、半固形化栄養剤が充填された栄養剤容器から、ポンプチューブを経由して前記半固形化栄養剤を注入するための半固形化栄養剤の注入装置であって、基台と、前記基台上に回転可能に支持された回転子と、前記回転子の外周縁部に回動可能に軸支されたローラーと前記回転子の回動に伴う前記ローラーの移動の軌跡に沿った円弧状の圧接面を有し、前記基台上に移動可能に設置されて、前記圧接面が前記回転子に対して所定の間隔の溝状間隙を形成して対向する後退位置、及び前記圧接面が前記回転子に対して前記後退位置よりも近接した近接位置を取り得る圧接部材とを備え、前記圧接部材が前記後退位置に位置するときに前記ポンプチューブを前記溝状間隙に装着可能であり、前記ポンプチューブを装着した状態で前記圧接部材を前記近接位置に移動させ前記回転子を回動させることにより、前記ローラーが前記ポンプチューブを押圧駆動することを特徴とする半固形化栄養剤の注入装置がある。
【先行技術文献】
【０００４】
【特許文献１】  特開２００７−２９５６２号公報  （特願２００５−２１９４９８押し出し装置）
【０００５】
【特許文献２】  特開２００９−２２６２０９号公報  （特願２００９−０４４５３０半固形化栄養剤の注入装置）
【考案の概要】
【考案が解決しようとする課題】
【０００６】  先行技術（０００２）では、可撓性を有するとともに袋状をなし、エアーの供給を受けて膨らむエアーバッグと、前記エアーバッグに対向し、膨らんだ前記エアーバッグの圧力を受ける受け部材とを有する。【０００７】  半固形栄養剤を収容する袋状容器を前記エアーバッグと前記受け部材の間にはさみ、手動により前記エアーバッグにエアーを供給し膨らますことで、前記袋状容器を圧迫して、前記袋状容器内の前記半固形栄養剤を押し出すことを特徴とするが、以下の問題がある。【０００８】  第１に、特許文献１の方法では、容器内から栄養剤が流出し終わる時間を予測し難く、且つ短時間では流出できないという問題である。【０００９】  即ち、押圧初期では栄養剤が流出する速度は大きいが、容器内の残量が減るにつれて、流出速度が小さくなり、所定時間後はほとんど栄養剤の流出がみられなくなる。【００１０】  流出速度が小さくなった時点で再加圧しても、同じ状態を繰り返すことになる。【００１１】  そのため、短時間で流出させようとした場合には、流出速度が落ちてきた頃を見計らって、再加圧しなくてはならず、非常に面倒な操作が必要となる。【００１２】  第２に、特許文献１の方法では、容器内に少なからぬ栄養剤が流出されずに残ってしまうという問題である。【００１３】  そのため、ある程度加圧バッグによる押し出しを行った後、加圧バッグと受け部材の間から袋状容器を取り出し、手作業により残液を搾り出す必要があった。【００１４】  先行技術（０００３）では、半固形化栄養剤が充填された栄養剤容器から、ポンプチューブを経由して前記半固形化栄養剤を注入するための注入装置であって、基台と、前記基台上に回転可能に支持された回転子と、前記回転子の外周縁部に前記ポンプチューブを前記溝状間隙に装着可能であり、前記ポンプチューブを装着した状態で、前記圧接部材を前記近接位置に移動させ前記回転子を回動させることにより、前記ローラーが前記ポンプチューブを押圧駆動することを特徴とする半固形化栄養剤の注入装置。【００１５】  この方法には、以下の問題が想定される。【００１６】  通常、半固形化栄養剤の注入装置では、栄養剤容器から胃瘻造設個所までの間を輸送するためのチューブを必要とする。【００１７】  この注入装置の使用では、半固形化栄養剤を注入するために、栄養剤容器に接続するチューブをより長いものにするか、別のチューブをさらに接続するなどして、前記溝状間隙に装着することを可能としなければならない。【００１８】  そのため、栄養剤容器から胃瘻造設個所まで接続したチューブがより長くなることで、この注入装置では、延長されたチューブ内に半固形化栄養剤が残留する可能性が大きくなることは避けられない。【００１９】  この注入装置では、栄養剤容器の半固形化栄養剤が効率的に全量近く注入することは必ずしも容易ではない。【００２０】  また、チューブ内に半固形化栄養剤が残留する可能性は大きくなる場合では、そのため、残留する半固形化栄養剤を清掃するための手間と時間が増え、介護者などに使用後の負担を増やすことになりかねない。【００２１】  チューブ内に残留した半固形化栄養剤を完全に注入しようと無理に操作を継続したりすると、エアーが胃瘻を経���して体内に注入したりするおそれがある。
【課題を解決するための手段】
【００２２】  本考案は、先行技術（０００２）の場合のように半固形栄養剤がパック内に残留することがなくなるようになる。【００２３】  袋状容器３の底部を巻取軸２の溝開口２ａに差し込む、１個の巻取軸２が電気的（電池）に回転駆動すると、その巻取軸２の機械的な巻きこみの力により、台板１に置かれた栄養食品等を充填した袋状容器３は、底部から巻取軸２に巻き込まれる。【００２４】  巻取軸２に袋状容器３の底部から巻き付くことで、袋状容器３の体積が減るにともない、内部に内圧が発生し、袋状容器３の内部にある栄養食品等を底部から開口を経由してほぼ完全に押し出すことを特徴とする。【００２５】  本考案は、先行技術（０００２）の場合のように容器内から栄養剤が流出し終わる時間を予測することは難しくない。【００２６】  また、予測が難しい場合であっても、電気的に設定を変更することで、容易に希望する時間に調節できる。【００２７】  注入５間は、標準的な４分〜１０分に設定が可能で、特別に要望がある場合では、それ以外の任意の時間設定も可能となる。【００２８】  本考案は、先行技術（０００２）のように、エアーの供給を受けて膨らむエアーバッグの圧力で、半固形栄養剤を充填した袋状容器を前記エアーバッグと受け部材との協働により、半固形栄養剤を圧迫して押し出すものではない。【００２９】  先行技術では、圧力が均一に前記袋状容器の全体に加わることはなく、前記袋状容器の周辺部には圧力は少ないため前記袋状容器内部の周辺に半固形栄養剤が残留し易い。【００３０】  本考案では、先行技術のように前記袋状容器の全体に圧力を加えるのではなく、袋状容器３の底部から巻取軸２に巻き付くことにより、袋状容器３の体積が減るに従い、底部から内圧が発生し、袋状容器３内部の栄養食品等をほぼ完全に押し出すことが可能となる。【００３１】  そのため、前記袋状容器内に残留した半固形栄養剤を注入するために、手技により押し出すような操作も不要となることを特徴とする。【００３２】  本考案は、先行技術（０００３）のように、溝状間隙にチューブを装着してチューブ内に発生する陰圧で吸引、注入しないため、長いチューブなど不要である。【００３３】  そのため、容器から胃瘻造設個所まで距離は可能な限り短くできるため、既存の短いチューブでも使用することができる。【００３４】  また、チューブ内の栄養食品等の残存も少なくなり、使用後の清掃も容易となることを特徴とする。【００３５】  本考案は、先行技術（０００３）のように、エアーを誤って胃瘻を経由して体内に注入したりするおそれはない。【００３６】  袋状容器３が巻取軸２に袋状容器３の底部から巻き付くことで、袋状容器３の底部から体積が減るにともない、内部に内圧が発生し、袋状容器３の内部にある栄養食品等を袋状容器３の底部から開口に接続したチューブ４を経由して患者に注入されるため、ほぼ全量を押し出すことを特徴とする。【００３７】  本考案は、重力に依存して栄養食品等を患者に注入することはない。【００３８】  そのため、設置場所や位置を選ばない。【００３９】  また、装置の設置方向（向き）を選ばないため、患者の体位や居場所（ベッド、畳の上の布団等々）などの影響を受けず、どのような方向（向き）でも設置できる。
【考案の効果】
【００４０】  本考案は、チューブが長いものであったり、更に延長するための追加接続用チューブなどを必要としない。【００４１】  市販される標準的な長さのチューブを使用できます。また、注入時間も希望される標準的な４分〜１０分に設定が可能で、特別に要望がある場合では、それ以外の任意の時間設定も可能となる。【００４２】  手動ハンドルの注入装置のように、人力での強い力を必要としない。【００４３】  本考案は、栄養食品等として、粘度の高い半固形化栄養剤であっても粘度の低い栄養食品と同様に容易に使用できる。【００４４】  栄養食品等に固有の粘度に依存することなく、袋状容器３から栄養食品等を容易に、袋状容器３に残留することが少なく、短時間で胃瘻を経由して胃瘻患者に注入可能な胃瘻造設患者用栄養剤補給注入補助装置。【００４５】  本考案は、重力に依存して栄養食品等を患者に注入することはない。【００４６】  そのため、設置場所や位置を選ばない。【００４７】  また、装置の設置方向（向き）を選ばないため、患者の体位や居場所（ベッド、畳の上の布団等々）などの影響を受けず、どのような方向（向き）でも設置できる。【００４８】  本考案は、電池駆動とすることで、小型化・軽量化が容易であるため、患者の衣服の下にも装着ができ、携帯が可能となる。【００４９】  そのため、患者は普通の日常生活（散歩、買い物など）、その他の社会活動も行えることになる。患者のＱＯＬの向上に寄与する。【００５０】  また、患者は旅行もすることが可能となる、その場合、必要となる装置の保守は、使用後のチューブ４の清掃であるため、数日の旅行でも複数のチューブ４を携帯することで、チューブ４の清掃を旅行先などですることを不要とできる。患者のＱＯＬの向上に寄与する。【００５１】  本考案は、装置の操作が簡単で容易であるため、患者自身、家族、介護者などが操作することができる。【００５２】  また、例えば、１回で４００Ｋｃａｌの栄養剤パック（袋状容器３）を一日の通常の食事時間などに合わせて注入することを問題なく行うことができる。【００５３】  そのため、患者は家族の食事時間に一緒にこの装置を用いて栄養剤などの補給をすることができる。
【図面の簡単な説明】
【００５４】
【図１】本考案の台板１に巻取軸２が設置され、袋状容器３が配置され、袋状容器３にチューブ４が接続されている実施例を示す斜視図。
【図２】本考案の巻取軸２に開けられた溝開口２ａを示す斜視図。
【図３Ａ】は、台板１に巻取軸２が設置され、台板１に袋状容器３が配置された実施例を示す斜視図。
【図３Ｂ】は、台板１に袋状容器３が配置され、袋状容器３の底部が巻取軸２の溝開口２ａに挿入された実施例を示す斜視図。
【図３Ｃ】は、袋状容器３の底部が巻取軸２の溝開口２ａに挿入されて巻取軸２に巻き取られ始めた実施例を示す斜視図。
【図３Ｄ】は、本考案の巻取軸２の溝開口２ａに袋状容器３の底部が巻き取られている実施例を示す斜視図。
【考案を実施するための形態】
【００５５】  巻取軸２の溝開口２ａに袋状容器３の底部を差し込む、巻取軸２が駆動回転するのにともない、巻取軸２と台板１との協働により、袋状容器３が巻取軸２に巻き付くと、袋状容器３の体積が減ることで、袋状容器３に内圧が発生し、内部に充填された栄養食品等は内圧により圧迫され、袋状容器の外に押し出され、チューブ４から、胃瘻を経由し患者に注入する。
【実施例】
【００５６】  台板１に袋状容器３が配置され、袋状容器３の底部が巻取軸２の溝開口２ａに挿入される。【００５７】  巻取軸２が駆動回転するのにともない、巻取軸２と台板１との協働により、袋状容器３が巻取軸２に巻き付くと、袋状容器３に充填された栄養食品等は圧迫され、内部圧力により袋状容器の外に押し出され、チューブ４から、胃瘻を経由し患者に注入する。
【実施形態の効果】
【符号の説明】
【００５８】１        台板
２        巻取軸
２ａ      溝開口
３        袋状容器
４        チューブ
【図１】
0003194994.tif 000003
【図２】
0003194994.tif 000004
【図３Ａ】
0003194994.tif 000005
【図３Ｂ】
0003194994.tif 000006
【図３Ｃ】
0003194994.tif 000007
【図３Ｄ】
0003194994.tif 000008
【手続補正書】
【提出日】平成26年10月3日(2014.10.3)
【手続補正１】
【補正対象書類名】実用新案登録請求の範囲
【補正対象項目名】全文
【補正方法】変更
【補正の内容】
【実用新案登録請求の範囲】
【請求項１】
半固形化栄養剤を充填した可撓性の袋状容器を巻き取る事によって半固形化栄養剤を押し出して、前記袋状容器に接続されたチューブから胃瘻を経由して半固形化栄養剤を患者へ補給のため注入する補助装置において、巻取軸には溝開口部が形成されており、前記溝開口部に前記袋状容器の底部を挿入し、前記袋状容器を回転方向に対して固定してから、前記巻取軸を電気駆動で回転させることにより前記袋状容器は、前記巻取軸と共に回転を始めるが、台板の上に置かれた状態になっているため、前記巻取軸の回転に伴う供回りは前記台板により阻止され、前記袋状容器の底部より前記巻取軸に巻き取られるに従い、前記袋状容器は、底部から体積を減少させその内圧は増加し、半固形化栄養剤は、前記袋状容器の開口部に接続された前記チューブ経由で押し出されるよう構成された胃瘻造設患者用栄養剤補給注入補助装置。
【請求項２】
請求項１に記載の装置において前記台板は、前記台板自体の塑性変形、または強靭なバネ材を用い前記巻取軸に強く押し付けられて、前記巻取軸に巻き付くことで、前記袋状容器の巻き取られる部分を平坦化し、前記袋状容器内の半固形化栄養剤の分布が平坦化されることにより、前記袋状容器の変形を整形し、巻き取り機能向上を図ることのできる前記台板を備える胃瘻造設患者用栄養剤補給注入補助装置。
【請求項３】
請求項１に記載の装置において前記巻取軸に形成された前記溝開口部に前記袋状容器の底部を挿入し、前記巻取軸の回転方向に対し前記袋状容器を固定し、前記巻取軸の回転に伴い前記袋状容器を巻き取る事により前記袋状容器の体積を減らし、内圧を上げて内容物を押し出す構造を備える胃瘻造設患者用栄養剤補給注入補助装置。
（補正後の実用新案登録請求の範囲全文を記載します。）
【手続補正４】
【補正対象書類名】明細書
【補正対象項目名】０００１
【補正方法】変更
【補正の内容】
【０００１】  この考案は、袋状容器３に充填された半固形化栄養剤を容易に、短時間で袋状容器３の内部に残留がないようにほぼ全量を、チューブ４を経由して患者の胃瘻に注入することを可能とする胃瘻造設患者用栄養剤補給注入補助装置を提供する。
【手続補正５】
【補正対象書類名】明細書
【補正対象項目名】００２４
【補正方法】変更
【補正の内容】
【００２４】  巻取軸２に袋状容器３の底部から巻き付くことで、袋状容器３の体積が減るにともない、内部に内圧が発生し、袋状容器３の内部にある半固形化栄養剤を底部から開口を経由してほぼ完全に押し出すことを特徴とする。
【手続補正６】
【補正対象書類名】明細書
【補正対象項目名】００２７
【補正方法】変更
【補正の内容】
【００２７】  注入時間は、標準的な４分間〜１０分間に設定が可能で、特別に要望がある場合では、それ以外の任意の時間設定も可能となります。
【手続補正７】
【補正対象書類名】明細書
【補正対象項目名】００３０
【補正方法】変更
【補正の内容】
【００３０】  本考案では、先行技術のように前記袋状容器の全体に圧力を加えるのではなく、袋状容器３の底部から巻取軸２に巻き付くことにより、袋状容器３の体積が減るに従い、底部から内圧が発生し、袋状容器３内部の半固形化栄養剤をほぼ完全に押し出すことが可能となる。
【手続補正８】
【補正対象書類名】明細書
【補正対象項目名】００３１
【補正方法】変更
【補正の内容】
【００３１】  また、チューブ内の半固形化栄養剤の残存も少なくなり、使用後の清掃も容易となることを特徴とする。
【手続補正９】
【補正対象書類名】明細書
【補正対象項目名】００３６
【補正方法】変更
【補正の内容】
【００３６】  袋状容器３が巻取軸２に袋状容器３の底部から巻き付くことで、袋状容器３の底部から体積が減るにともない、内部に内圧が発生し、袋状容器３の内部にある半固形化栄養剤を袋状容器３の底部から開口に接続したチューブ４を経由して患者に注入されるため、ほぼ全量を押し出すことを特徴とする。
【手続補正１０】
【補正対象書類名】明細書
【補正対象項目名】００３７
【補正方法】変更
【補正の内容】
【００３７】  本考案は、重力に依存して半固形化栄養剤を患者に注入することはない。
【手続補正１１】
【補正対象書類名】明細書
【補正対象項目名】００３９
【補正方法】変更
【補正の内容】
【００３９】  また、装置の設置方向（向き）を選ばないため、患者の体位や居場所（ベッド、畳、布団の上）などの影響を受けず、どのような方向でも設置できる。
【手続補正１２】
【補正対象書類名】明細書
【補正対象項目名】００４１
【補正方法】変更
【補正の内容】
【００４１】  市販される標準的な長さのチューブを使用できます。また、注入時間も希望される標準的な４分間〜１０分間に設定が可能で、特別に要望がある場合では、それ以外の任意の時間設定も可能となる。
【手続補正１３】
【補正対象書類名】明細書
【補正対象項目名】００４３
【補正方法】変更
【補正の内容】
【００４３】  本考案は、粘度の高い半固形化栄養剤でも粘度の低い場合と同様に容易に使用できる。
【手続補正１４】
【補正対象書類名】明細書
【補正対象項目名】００４４
【補正方法】変更
【補正の内容】
【００４４】  半固形化栄養剤に固有の粘度に依存することなく、袋状容器３から半固形化栄養剤を容易に、袋状容器３に残留することが少なく、短時間で胃瘻を経由して胃瘻患者に注入可能な胃瘻造設患者用栄養剤補給注入補助装置。
【手続補正１５】
【補正対象書類名】明細書
【補正対象項目名】００４５
【補正方法】削除
【補正の内容】
【手続補正１６】
【補正対象書類名】明細書
【補正対象項目名】００４６
【補正方法】削除
【補正の内容】
【手続補正１７】
【補正対象書類名】明細書
【補正対象項目名】００４７
【補正方法】削除
【補正の内容】
【手続補正１８】
【補正対象書類名】明細書
【補正対象項目名】００４９
【補正方法】変更
【補正の内容】
【００４９】  そのため、患者は普通の日常生活（散歩、買い物）、その他の社会活動も行えることになる。患者のＱＯＬの向上に寄与する。